(57)【要約】【課題】  グリルパンがグリル庫から引き出された状態でも、グリルドアが邪魔にならず調理物を容易に扱えるグリル装置を実現する。【解決手段】  グリル装置１は、グリルドア４がグリル庫３の前面開口３１に横開き式に９０度範囲に回動するように軸支され、グリルドア４開閉時のドア回動に連動してグリルパン２（載置体）をグリル庫３内外に出し入れさせるグリルパン出入手段２００（載置体出入手段）が設けられる。このグリルパン出入手段２００は、グリルパン２の繰り出しを拡張させるストローク拡張機能部としてのパンタグラフ機構５を備える。グリルドア４が横開きにされてグリルパン２のほぼ全体がグリル庫３外に繰り出されるので、繰り出されたグリルパン２の前方位置にはグリルドア４がほとんど出張らない。よって、グリルドア４が邪魔にならず調理物を容易に扱うことができる。【選択図】  図３
2005027971.tif 000002
【特許請求の範囲】
【請求項１】
載置体が収容されたグリル庫の前面開口を開閉自在とするグリルドアを設けたグリル装置において、
上記グリルドアは、グリル庫の前面開口に横開き式に回動するように支持され、上記グリルドアの開閉時におけるドア回動に連動して上記載置体をグリル庫内外に出し入れさせる載置体出入手段を設けたことを特徴とするグリル装置。
【請求項２】
請求項１に記載のグリル装置において、
上記グリルドアは、全開時にドア上部が内側に折り込まれるように形成されていることを特徴とするグリル装置。
【請求項３】
載置体が収容されたグリル庫の前面開口を開閉自在とするグリルドアを設けたグリル装置において、
上記グリルドアは、グリル庫の前面開口に前倒し式に回動するように支持され、上記グリルドアの開閉時におけるドア回動に連動して上記載置体をグリル庫内外に出し入れさせる載置体出入手段を設けたことを特徴とするグリル装置。
【請求項４】
請求項３に記載のグリル装置において、
上記グリルドアは、前方に突出するように断面く字状に形成されていることを特徴とするグリル装置。
【請求項５】
請求項１ないし４のいずれかに記載のグリル装置において、
全開にされた上記グリルドアの突出前端と繰り出された上記載置体の突出前端とが略等しく配置されることを特徴とするグリル装置。
【発明の詳細な説明】
【技術分野】
【０００１】
この発明は、例えば、ガスコンロやＩＨコンロ等に設けられるグリル装置に関するものである。
【背景技術】
【０００２】
従来のグリル装置としては、例えば、図１１に示すように、グリルドア６３３が引き出し式に設置されたものがある（特許文献１）。このものは、グリル庫６１２の前面開口６１１に配置されたグリルドア６３３の背面にグリルパン６０３（載置体）の前端部が接続され、グリルドア６３３を引き出すようにして開けるとグリルパン６０３が一緒にグリル庫６１２内から引き出され、また、グリルドア６３３を押し込んで閉めるとグリルパン６０３がグリル庫６１２内に収容されるものである。
【０００３】
また、図１２に示すように、グリルドア７０６が前倒し式に設置されたグリル装置もある（特許文献２、特許文献３）。このものは、グリル庫７２１内にスライド自在に設置されたグリルパンホルダー７０５（載置体）の先端部にグリルドア７０６が軸支され、前面開口７２２を閉じたグリルドア７０６を前倒し式に開いて水平姿勢とし（図１２（ａ）（ｂ））、次いで、グリルドア７０６を引き出すとグリルパン７０４を配置するグリルパンホルダー７０５が一緒に引き出される（図１２（ｃ））。
なお、上記いずれのグリルパン６０３，７０４にも、魚等の調理物を載せるグリッドが取り付けられる。
【０００４】
また、図１３に示すように、グリルドア８１８が横開き式に設置されたグリル装置もある（特許文献４）。このものは、グリル庫８１５の前面開口８１６の一端側にグリルドア８１８を軸支８１４させると共に、このグリルドア８１８の背面に扇型のグリルパン８１７（載置体）を取り付けてグリルドア８１８を横開き式に開くと扇型のグリルパン８１７も一緒にグリル庫８１５外に取り出されるものである。
【特許文献１】特開平６−１０５７４９号公報（図１）
【特許文献２】特開平４−１１７９２３号公報（第７図、第８図、第９図）
【特許文献３】実開平２−６２３０６号公報（第２図）
【特許文献４】特開平３−４５８２３号公報（第１図）
【発明の開示】
【発明が解決しようとする課題】
【０００５】
しかるに、図１１および図１２に示すものでは、グリルドア６３３，７０６を開いてグリルパン６０３，７０４が引き出された状態では、グリルドア６３３，７０６がグリルパン６０３，７０４の前方位置に出張って配置されるため、グリルパン６０３，７０４に取り付けたグリッド上の調理物６３０，７３０を扱うに際してグリルドア６３３，７０６が邪魔になる問題があった。特に、図１２に示すものでは、グリルパン７０４の前方位置にグリルドア７０６が水平姿勢に保持されて大きく出張った状態となるため（図１２（ｃ）を参照）、このグリルドア７０６が非常に邪魔になる。また、図１１や図１３に示すものでは、グリルドア６３３，８１８のドア上部６３１，８１９がグリルパン６０３，８１７の上面よりも高く上方に突出するため、このドア上部６３１，８１９が邪魔になる。
【０００６】
そして、上記いずれのグリル装置でも、前方または上方に大きく出張ったグリルドア６３３，７０６，８１８の上端が熱くなっているため、グリッド上の調理物６３０，７３０，８３０を扱う際に、グリルドア６３３，７０６，８１８の上端に誤って触れて不快感を感じるおそれもある。
【０００７】
さらに、図１３に示すものでは、グリルドア８１８に調理物８３０を載せるグリルパン８１７を取り付けているため、グリルドア８１８には大きな荷重がかかる。しかも、グリルパン８１７に重い調理物８３０を載せるとグリルパン８１７が重さによって傾き、特にグリルドア８１８を閉じる際に前面開口８１６に引っ掛かる等の不具合も起こし得る。
【０００８】
本発明は、上記の事情に鑑みてなされたものであり、上記グリルパン等の載置体がグリル庫から繰り出された状態でも、グリルドアが邪魔にならず調理物を容易に扱えるグリル装置を実現するものである。
【課題を解決するための手段】
【０００９】
請求項１に係る発明のグリル装置は、載置体が収容されたグリル庫の前面開口を開閉自在とするグリルドアを設けたグリル装置において、上記グリルドアは、グリル庫の前面開口に横開き式に回動するように支持され、上記グリルドアの開閉時におけるドア回動に連動して上記載置体をグリル庫内外に出し入れさせる載置体出入手段を設けたことを特徴とするものである。
【００１０】
これにより、グリルドアを全開状態にすると、グリルドアが横開きにされると共に載置体出入手段によって上記載置体がグリル庫外に繰り出されるので、載置体を繰り出した状態では、横開きされたグリルドアが載置体の横側位置に配置される。従って、この繰り出された載置体の前方位置には、グリルドアが出張ることがない。
一方、横開きされたグリルドアを閉めると、ドア回転に連動して載置体出入手段によって載置体がグリル庫内に収容される。
【００１１】
請求項２に係る発明のグリル装置は、上記グリル装置（請求項１）において、上記グリルドアは、全開時にドア上部が内側に折り込まれるように形成される。これにより、グリル庫から繰り出された載置体の横側位置に保持されたグリルドアの上端が載置体の上面よりも大きく出張ることを防止することができる。従って、グリルグリッド上の調理物を扱う際にグリルドアの上端に誤って触れて不快感を感じるおそれも防止することができる。
【００１２】
請求項３に係る発明のグリル装置は、載置体が収容されたグリル庫の前面開口を開閉自在とするグリルドアを設けたグリル装置において、上記グリルドアは、グリル庫の前面開口に前倒し式に回動するように支持され、上記グリルドアの開閉時におけるドア回動に連動して上記載置体をグリル庫内外に出し入れさせる載置体出入手段を設けたことを特徴とするものである。
【００１３】
これにより、グリルドアを全開状態にすると、グリルドアが前面開口で前倒しされてその上方位置に載置体が配置されるので、載置体を繰り出した状態では、前倒しされたグリルドアを載置体の下面側に配置させることができる。従って、この繰り出された載置体の前方位置や上方位置には、グリルドアがほとんど出張ることがない。よって、載置体を繰り出した状態では、グリルドアが邪魔にならず調理物を容易に扱うことができ、しかも、グリルドアの熱くなった上端に誤って触れて不快感を感じるおそれも防止することができる。
一方、前倒しされたグリルドアを起こして閉めると、ドア回転に連動して載置体出入手段によって載置体がグリル庫内に収容される。
【００１４】
請求項４に係る発明のグリル装置は、上記グリル装置（請求項３）において、上記グリルドアは、前方へ突出するように断面く字状に形成される。これにより、グリルドアの背面側に前方へ突出する分のスペースが形成されるので、載置体の前方への繰り出しスペースが十分に確保される。従って、載置体の前端部がグリルドア背面に衝突することなくスムーズに繰り出させることができる。
【００１５】
請求項５に係る発明のグリル装置は、上記グリル装置（請求項１ないし４）において、全開にされた上記グリルドアの突出前端と繰り出された上記載置体の突出前端とが略等しく配置される。これにより、繰り出された載置体の前方位置にはグリルドアが出張ることを確実に防止できる。
【発明の効果】
【００１６】
以上のように、本発明によれば、繰り出された載置体の前方位置にはグリルドアが出張ることがないから、グリル庫内から載置体を繰り出した状態では、その前方位置においてグリルドアが邪魔にならず調理物を容易に扱うことができる。
【発明を実施するための最良の形態】
【００１７】
以下に、本発明の実施の形態について添付図面を参照しながら説明する。
＜実施の形態１＞
図１〜図３は、本発明の実施の形態１によるグリル装置１を示す。図１に示すように、このグリル装置１は、ガスコンロ１００の前面中央に設置され、そのグリルドア４を横開き式に全開すると、グリルパン２のほぼ全体が繰り出されて横開きにされたグリルドア４をグリルパン２（載置体）の横側に配置させる構成としたものである。
【００１８】
以下に、このグリル装置１の構造を説明する。
グリル装置１は、前面開口３１を有してグリルパン２を収容するグリル庫３と、グリル庫３の前面開口３１を開閉させる横開き式のグリルドア４と、グリルドア４を開閉するときのドア回動に連動してグリルパン２をグリル庫３内外に出し入れさせるグリルパン出入手段２００（載置体出入手段、図２、図３を参照。）とを備える。なお、グリルパン２には、魚等の調理物を載せるグリッド６が載置されてあってもよい。
【００１９】
そして、このグリルパン出入手段２００は、グリルドア４に固定された回動アーム４２と、グリルパン２の繰り出しを拡張させるストローク拡張機能部としてのパンタグラフ機構５と、これら回動アーム４２とパンタグラフ機構５とを連結する連結アーム８と、このパンタグラフ機構５とグリルパン２とを連結するための押出しアーム７およびＬアーム９とを備える。
【００２０】
図２、図３に示すように、グリル庫３は、耐熱板金製であり、全体が前面開口３１を有する矩形状に形成されている。このグリル庫３の前面開口３１には、向かって左側に開かれる横開き式のグリルドア４が設置されている。また、グリル庫３の内部は、グリルパン２が載置される底板３２が上げ底となっている（図２を参照。）。そして、この上げ底となった底板３２上には、長辺側が前後方向を向くように奥長状態にグリルパン２が載置される。また、グリルパン２の後方における底板３２上には、パンタグラフ機構５が設置されている。なお、このグリル庫３の天井付近には、図示しないバーナ等の熱源が設置される。
【００２１】
載置体となるグリルパン２は、板金製であり、水が貯留されたりする矩形状の容器部２０と、この容器部２０の上端外周に周設されるフランジ２１とを備える。そして、後部フランジ２１０は、パンタグラフ機構５に取り付けた押出しアーム７が引っ掛けられるように、垂下部２１１が延設されてフック状に形成されている（図２を参照。）。また、グリルパン２には、容器部２０の四隅に下方に突出する脚部２２Ｆが設けられる共に、容器部２０の下面後部に下方に突出する突起２２が設けられている。そして、グリル庫３の底板３２の前部にはグリルパン２の突起２２と係合するように上方に突出する突条３２１が設けられている（図２を参照。）。従って、底板３２上をスライドして前方へ繰り出されるグリルパン２は、下面の突起２２が底板３２前部の突条３２１に係止されると、これ以上は繰り出されないと共に、グリルドア４もこれ以上開かないように規制される（図３（ｃ）を参照。）。
【００２２】
グリルドア４は、図３に示すように、左端の下部に設ける軸部４１が底板３２に軸支され、横開き式に９０度の範囲でドア回動させてグリル庫３の前面開口３１を開閉させるようにしている。また、このグリルドア４の背面側下部には、後方に延びる回動アーム４２が軸部４１付近に固定されている。この回動アーム４２は、グリルドア４の開閉によって軸部４１を中心に９０度の範囲で回動される。この回動アーム４２には、パンタグラフ機構５に連結される連結アーム８が回動可能に取り付けられている。
【００２３】
また、このグリルドア４は、ドア上部４３とドア下部４４とに分割されており、このドア上部４３は、グリルドア４を開けるに従ってドア上部４３の内側へ倒れようとする構造により内側に折り込まれるようにドア下部４４の上端に軸部４５によって回動可能に軸支されている（図２を参照。）。そして、グリルドア４の全開時では、グリルドア４上端の高さがグリルパン２の上面部の高さとほぼ同じか、あるいは、グリルパン２の上面部よりも低くなるように、ドア上部４３が折り込まれた状態に姿勢保持される。また、グリルドア４の突出前端４Ｆは、繰り出されたグリルパン２の突出前端２Ｆと略同じ長さに設定されている（図１を参照。）。
【００２４】
逆に、グリルドア４を閉めて行くと、このドア上部４３は、その左側端部がグリル庫３の前面開口３１の周縁３１１に当接し、次いで、この側面板３３前部にスライドして起立されて行き、そして、グリルドア４が全閉されると、完全に起立される。なお、このドア上部４３には、グリル庫３内を覗けるようにするためのガラス窓４６が嵌め込まれ、また、ドア下部４４には、グリルドア４を左側にドア回動させやすくするため指掛け凹部４７１（図３（ａ）を参照。）を設ける右側部ほど出張った把手４７が取り付けられている。
【００２５】
パンタグラフ機構５は、図２、図３に示すように、第１から第４の４つの交点５１〜５４を有し、最後部の第１交点５１がグリル庫３の底板３２に固定された固定点となり、グリル庫３の前後方向に伸縮されるように配置されている。最前部の第４交点５４には、Ｌアーム９が取り付けられ、そして、このＬアーム９の上端部に水平に延びる押出しアーム７が取り付けられている。この押出しアーム７は、底板３２上に載置されるグリルパン２の後部フランジ２１０に引っ掛けられている。
【００２６】
また、固定点である第１交点５１の隣りの第２交点５２には、作動アーム８１が垂下形成され、そして、この作動アーム８１にはグリルドア４の回動アーム４２に連結された連結アーム８が回動可能に取り付けられている（図２を参照。）。上記作動アーム８１は、底板３２において前後方向にまっすぐ設けるガイド孔３２２に挿通されており、これにより、作動アーム８１が前後方向にまっすぐ案内されて移動するので、この作動アーム８１を取り付けたパンタグラフ機構５自体が前後方向にまっすぐ伸縮されることとなる。このように、このパンタグラフ機構５は、上記第２交点５２がグリルドア４の開閉に際してのドア回動によって可動される作動点となる。
【００２７】
そして、このパンタグラフ機構５は、作動点の第２交点５２が引っ張られて移動すると、第３交点５３、第４交点５４も同期して移動するから、固定点の第１交点５１に対する第２交点５２の移動量ｘと同じ移動量ｘでもって、第２交点５２と第３交点５３との間、第３交点５３と第４交点５４との間も同時に広げられる（図３（ｃ）を参照。）。その結果、このパンタグラフ機構５は、押出しアーム７を取り付けた最前部の第４交点５４では、固定点の第１交点５１から見ると、ドア回動による上記移動量ｘの３倍の移動量が得られることとなる。従って、このパンタグラフ機構５によれば、第２交点５２を作動点として移動させることで、ドア回動による水平成分の移動量の３倍の移動量をグリルパン２に対して付与することができ、よって、十分なグリルパン２の繰り出しストロークを確保することができる。従って、上記グリルパン出入手段２００は、パンタグラフ機構５によりストローク拡張機能を備えている。
【００２８】
次に、このグリル装置１の動作を説明する。
図３（ａ）に示すように、グリルドア４がグリル庫３の前面開口３１を閉じてグリルパン２がグリル庫３内に収容された状態から、グリルドア４の把手４７を持って引っ張るとグリルドア４が回動して左側に横開き式に開く。
【００２９】
図３（ｂ）に示すように、グリルドア４が開かれると、このときのドア回動に連動して、グリルドア４背面に設ける回動アーム４２が回動されると共にこの回動アーム４２に連結された連結アーム８およびこの連結アーム８に連結された作動アーム８１がパンタグラフ機構５の作動点である第２交点５２を引っ張ってパンタグラフ機構５を引き伸ばす。このとき、作動アーム８１は、底板３２において前後方向にまっすぐ設けるガイド孔３２２に挿通されているので、パンタグラフ機構５は、前後方向にまっすぐ引き伸ばされる。
【００３０】
すると、このパンタグラフ機構５の前部に接続された押出しアーム７が前方へ移動される同時に、この押出しアーム７に引っ掛けたグリルパン２が底板３２上をスライドして前方へ繰り出される。また、同時に、グリルドア４のドア上部４３は、グリル庫３の前面開口３１の周縁３１１にもたれるようにして内側に折り込まれて行く。
【００３１】
そして、図３（ｃ）に示すように、グリルドア４が左側に９０度回動されて全開されると、パンタグラフ機構５によってグリルパン２のほぼ全体がグリル庫３外に繰り出される。これは、パンタグラフ機構５がドア回動による前後方向の少ない移動量を拡張させてグリルパン２の繰り出しストローク量を確保させているからである。
【００３２】
すなわち、第１から第４の４つの交点５１〜５４を有した上記パンタグラフ機構５によると、第２交点５２を作動点として移動させることで、グリルパン２を押し出す最前部の第４交点５４では、ドア回動による水平成分の移動量の３倍の移動量が得られるので、ドア回動による前後方向成分の移動量が少なくても、十分なグリルパン２の繰り出しストロークを確保することができる。
【００３３】
また、グリルドア４が全開されると、この全開状態のグリルドア４は、グリルパン２の左横側に配置されると共にグリルドア４の突出前端４Ｆが繰り出されたグリルパン２の突出前端２Ｆと略同じ長さに配置され、しかも、そのドア上部４３は、グリルドア４の上端がグリルパン２の上面の高さとほぼ同じ程度に位置するように折り込まれた姿勢となって保持される（図１をも参照。）。そして、グリルパン２は、この繰り出された状態では下面の突起が底板３２の突条３２１に係止されるので、これ以上まっすぐ引き出せないが、この状態のグリルパン２を斜め上方に傾けると上記の係止が解除されから、この傾けた状態で引っ張り出すと、グリルパン２がグリル庫３から取り外される。
【００３４】
一方、グリルパン２をグリル庫３内に収容させるには、左側に横開きされた状態のグリルドア４を把手４７を掴んで上記と逆に回動させる。すると、グリルドア４が閉じられて行くに従って、上記と逆にパンタグラフ機構５が縮まって、押出しアーム７がグリルパン２の後部フランジ２１０を引っ張ってグリルパン２をグリル庫３内に収容させる。
【００３５】
また、同時に、グリルドア４のドア上部４３は、その左側端部がグリル庫３の前面開口３１の周縁３１１に当接し、次いで、この周縁３３１にスライドして起立されて行き、そして、グリルドア４が全閉されると、完全に起立される。これにより、グリル庫３内にグリルパン２が収容されると共に前面開口３１が閉じられる。
【００３６】
以上のように、本実施の形態１のグリル装置１によれば、グリルドア４を横開き式に開いてグリルパン２をグリル庫３内から繰り出させると、グリルパン出入手段２００におけるパンタグラフ機構５によってグリルパン２のほぼ全体がグリル庫３外に繰り出される。このグリルパン２を繰り出した状態では、横開きされたグリルドア４がグリルパン２の左横側位置に配置される。従って、この繰り出されたグリルパン２の前方位置には、グリルドア４が出張ることがないから、グリルドア４が邪魔にならずグリッド６上の調理物を容易に扱うことができる。
【００３７】
また、上記グリルドア４の全開時には、グリルドア４の上端がグリルパン２の上面の高さとほぼ同じ程度に位置するようにドア上部４３が内側に折り込まれた姿勢となって保持され、これにより、グリルドア４の上端をグリルパン２の上面よりも上方位置に出張らなくしている。従って、グリッド６上の調理物を扱う際に、グリルドア４の上端に誤って触り不快感を感じるおそれも防止することができる。
【００３８】
また、上記グリルドア４の全開時には、上記グリルドア４の突出前端４Ｆと繰り出された上記グリルパン２の突出前端２Ｆとが略等しく設定されるので、繰り出されたグリルパン２の前方位置にはグリルドア４が出張ることを確実に防止できるから、その前方位置においてグリルドア４が邪魔にならず調理物を容易に扱うことができる。
【００３９】
＜その他＞
なお、上記実施の形態１のものは、次のような設計変更を施すことが可能である。
例えば、上記実施の形態１では、グリルドア４の背面に回動アーム４２を設けるが、このような回動アーム４２を設けずに、連結アーム８をグリルドア４背面に回動自在に設けるようにしてもよい。この場合、上記グリルパン出入手段２００は、連結アーム８とパンタグラフ機構５と押出しアーム７とＬアーム９とで構成されることとなる。
【００４０】
また、上記グリルパン出入手段２００に備えたストローク拡張機能部としては、上記パンタグラフ機構５を採用するが、図４に示すリンク機構５Ａや、図５に示すラックピニオン機構５Ｂなど、また、ドア回動に連動して駆動するモータを利用するなど、その他種々の公知手段を採用してもよい。
【００４１】
図４に示すリンク機構５Ａは、上げ底となった底板３２の下面に設置されており、回動アーム４２にリンクアームＡが連結され、このリンクアームＡの先端には上記Ｌアーム９に相当する立設棒９Ａを介して押出しアーム７に連結するリンクアームＢが連結される。また、底板３２には、リンクアームＡとリンクアームＢとの結合点を案内させる傾斜した第２ガイド孔３２３が設けられている。この第２ガイド孔３２３自体の長さは、前後方向にまっすぐ底板３２に設けられて押出しアーム７を案内するガイド孔３２２の長さと等しく設定される。よって、ガイド孔３２２と第２ガイド孔３２３との長さは、ともにグリルパン２の繰出し量と等しく設定される。なお、ガイド孔３２２は、中央位置よりも左側に寄せて設けられている。また、第２ガイド孔３２３の傾斜角度は、第２ガイド孔３２３の前後方向成分の長さが回動アーム４２の前後方向成分の移動量と等しくなるように設定される。これによって、このリンク機構５Ａによれば、第２ガイド孔３２３の前後方向成分の長さの移動量を、リンクアームＢによって第２ガイド孔３２３自体の長さの移動量に拡張してグリルパン２に対して付与することができ、十分なグリルパン２の繰り出しストロークを確保することができる。なお、このものでは、グリルパン出入手段２００は、回動アーム４２、リンク機構５Ａ、立設棒９Ａ、押出しアーム７によって構成される。
【００４２】
従って、グリルドア４を横開き式に開けると、ドア回動によってリンクアームＡとリンクアームＢとの結合点が第２ガイド孔３２３に沿って移動されると同時にリンクアームＢの先端の押出しアーム７がガイド孔３２２に沿って移動され、この押出しアーム７の移動量分、グリルパン２が前方へ押し出される（図４（ａ）（ｂ）を参照。）。そして、グリルドア４が完全に開かれて左側に配置されると、グリルパン２のほぼ全体がグリル庫３外に繰り出される（図４（ｃ）を参照。）。
【００４３】
また、図５に示すラックピニオン機構５Ｂは、上げ底となった底板３２の下面に設置されており、回動アーム４２に連結棒８Ｂが連結され、この連結棒８Ｂの先端には２つのラック５５ａ，５５ｂに歯合して挟まれたピニオン５６が接続される。そして、左側の短尺ラック５５ａは、底板３２より下の左側の側面板３３に固定されている。右側の長尺ラック５５ｂは、ピニオン５６の回動によって前後に移動可能に取り付けられ、また、前部にはクランク状に屈曲されたクランク棒９Ｂが固定されている。このクランク棒９Ｂは、底板３２に前後方向にまっすぐ設けられたガイド孔３２２を挿通させてグリルパン２の後部フランジ２１０に引っ掛けられる押出しアーム７に結合されている。
【００４４】
これによって、長尺ラック５５ｂは、ピニオン５６と歯合されているので、ピニオン５６の前後方向成分の移動量と等しく移動され、加えて、ピニオン５６の回動によってもその回動距離と同じ距離移動される。つまり、このラックピニオン機構５Ｂによれば、ピニオン５６の前後方向成分の移動量を、長尺ラック５５ｂによってこの移動量にピニオン５６の回動距離を加えてグリルパン２に対して付与することができ、十分なグリルパン２の繰り出しストロークを確保することができる。なお、このものでは、グリルパン出入手段２００は、回動アーム４２、連結棒８Ｂ、ラックピニオン機構５Ｂ、クランク棒９Ｂ、押出しアーム７によって構成される。
【００４５】
従って、グリルドア４を横開き式に開けると、ドア回動によってピニオン５６が回転しながら移動されると長尺ラック５５ｂがピニオン５６の移動量にピニオン５６の回動距離を加えて移動され、この長尺ラック５５ｂの移動量分、押出しアーム７を介してグリルパン２が前方へ押し出される（図５（ａ）（ｂ）を参照。）。そして、グリルドア４が完全に開かれて左側に配置されると、グリルパン２のほぼ全体がグリル庫３外に繰り出される（図５（ｃ）を参照。）。
【００４６】
＜実施の形態２＞
図６〜図８は、本発明の実施の形態２によるグリル装置１’を示す。図６に示すように、このグリル装置１’は、ガスコンロ１００’の前面中央に設置され、そのグリルドア４’を前倒し式に開くと、この開いたグリルドア４’のほぼ全体を覆い隠すようにグリルドア４’の上方位置にグリルパン２’（載置体）が繰り出される構成とするものである。
【００４７】
以下に、このグリル装置１’の構造を説明する。
グリル装置１’は、前面開口３１’を有してグリルパン２’を収容するグリル庫３と、グリル庫３’の前面開口３１’を開閉させる前倒し式のグリルドア４’と、グリルドア４’を開閉するときのドア回動に連動してグリルパン２’をグリル庫３’内外に出し入れさせるグリルパン出入手段２００’（載置体出入手段、図７、図８を参照。）とを備える。なお、グリルパン２’には、魚等の調理物を載せるグリッド６’が載置されてあってもよい。
【００４８】
そして、このグリルパン繰り出し装置２００’は、グリルドア４’に固定された回動アーム４２’と、グリルパン２’の繰り出しを拡張させるストローク拡張機能部としてのパンタグラフ機構５’と、これら回動アーム４２’とパンタグラフ機構５’とを連結する連結アーム８’と、このパンタグラフ機構５’とグリルパン２’とを連結するための押出しアーム７’とを備える。
【００４９】
図７に示すように、グリル庫３’は、耐熱板金製であり、全体が前面開口３１’を有する矩形状に形成されている。このグリル庫３’の内部は、左右の側面板３２’付近にそれぞれ内壁板３３’が立設され、また、グリルパン２’が載置される底板３４’が上げ底となっている。そして、グリル庫３’後部の左右における内壁板３３’と側面板３２’との間にはパンタグラフ機構５’が設置される。また、グリル庫３’の上げ底となった底板３４’には、長辺側が前後方向を向くように横長状態にグリルパン２’が載置される。なお、このグリル庫３’の天井付近には、図示しないバーナ等の熱源が設置される。
【００５０】
グリルパン２’は、板金製であり、水が貯留されたりする矩形状の容器部２０’と、この容器部２０’の上端外周に周設されるフランジ２１’とを備える。そして、後部フランジ２１０’は、パンタグラフ機構５’に取り付けた押出しアーム７’が引っ掛けられるように、垂下部２１１’が延設されてフック状に形成されている（図８を参照。）。また、グリルパン２’には、容器部２０’の四隅に下方に突出する脚部２２Ｆ’が設けられると共に、容器部２０’の下面後部に下方に突出する突起２２’が設けられている。そして、グリル庫３’の底板３４’の前部にはグリルパン２’の突起２２’と係合するように上方に突出する突条３４２’が設けられている。従って、底板３４’上をスライドして前方へ繰り出されるグリルパン２’は、下面の突起２２’が底板３４’前部の突条３４２’に係止されると、これ以上は繰り出されないように規制される（特に、図８（ｃ）を参照。）。
【００５１】
グリルドア４’は、図８に示すように、前方に突出するように断面く字状に形成されている。このグリルドア４’は、ドア下部の両端に設ける軸部４１’が側面板３２’下部に軸支され、前倒し式に９０度の範囲でドア回動されてグリル庫３’の前面開口３１’を開閉させるようにしている。すなわち、グリルドア４’は、垂直姿勢でグリル庫３’の前面開口３１’を全閉させ、そして、この垂直姿勢から９０度回転させた水平姿勢で前面開口３１’を全開させる。この全開にされたグリルドア４’の突出前端４’Ｆと繰り出されたグリルパン２’の突出前端２’Ｆとが略等しく配置される。
【００５２】
また、このグリルドア４’の背面側下部には、後方に延びる回動アーム４２’が左右にそれぞれ固定されている。従って、これら左右の回動アーム４２’は、グリルドア４’の開閉によって軸部４１’を中心に９０度の範囲で回動される。これら回動アーム４２’には、パンタグラフ機構５’に連結される連結アーム８’が回動可能に取り付けられ、これらがグリルパン出入手段２００’を構成している。また、このグリルドア４’は、傾斜したドア上部４３’にグリル庫３’内を覗けるようにするためのガラス窓４４’が嵌め込まれ、また、その上端部には把手４５’が取り付けられている。
【００５３】
パンタグラフ機構５’は、図８に示すように、第１から第４の４つの交点５１’〜５４’を有し、最後部の第１交点５１’がグリル庫３’の側面板３２’および内壁板３３’に固定された固定点となり、グリル庫３’の前後方向に伸縮されるように配置されている。最前部の第４交点５４’には、左右のパンタグラフ機構５’に架設する押出しアーム７’が取り付けられている（図７を参照。）。この押出しアーム７’は、左右の内壁板３３’において水平方向に横長に設けるガイド孔３３１’に挿通されると共に、底板３４’上に載置されるグリルパン２’の後部フランジ２１０に引っ掛けられている。また、固定点である第１交点５１’の隣りの第２交点５２’には、グリルドア４’の回動アーム４２’に連結された連結アーム８’が回動可能に取り付けられ、これにより、この第２交点５２’がグリルドア４’の開閉に際してのドア回動によって可動される作動点となる。
【００５４】
そして、このパンタグラフ機構５’は、作動点の第２交点５２’がドア回動によって引っ張られて移動すると、第３交点５３’、第４交点５４’も同期して移動するから、固定点の第１交点５１’に対する第２交点５２’の移動量ｘと同じ移動量ｘでもって、第２交点５２’と第３交点５３’との間、第３交点５３’と第４交点５４’との間も同時に広げられる（図８（ｃ）を参照。）。その結果、このパンタグラフ機構５’は、押出しアーム７’を取り付けた最前部の第４交点５４’においては、固定点の第１交点５１’から見ると、ドア回動による上記移動量ｘの３倍の移動量が得られることとなる。従って、このパンタグラフ機構５’によれば、第２交点５２’を作動点として移動させることで、ドア回動による回動アーム４２’における水平成分の移動量ｘの３倍の移動量をグリルパン２’に対して付与することができ、よって、十分なグリルパン２’の繰り出しストロークを確保することができる。従って、上記グリルパン出入手段２００’は、パンタグラフ機構５’によりストローク拡張機能を備えている。
【００５５】
次に、このグリル装置１の動作を説明する。
図８（ａ）に示すように、グリルドア４’がグリル庫３’の前面開口３１’を閉じてグリルパン２’がグリル庫３’内に収容された状態から、グリルドア４’の把手４５を持って下方へ前倒し式にグリルドア４’を回動させて開ける。
【００５６】
図８（ｂ）に示すように、グリルドア４’が開かれると、このときのドア回動に連動して、グリルドア４’背面の回動アーム４２’が上方へ回動されると共に回動アーム４２’に連結された連結アーム８’がパンタグラフ機構５’の作動点である第２交点５２を引っ張ってパンタグラフ機構５’を引き伸ばす。すると、このパンタグラフ機構５’の前部に架設した押出しアーム７’が内壁板３３’のガイド孔３３１’に沿って前方へ移動されると同時に、この押出しアーム７’に引っ掛けたグリルパン２’が底板３４’上をスライドして前方へ繰り出される。
【００５７】
このとき、グリルドア４’は、前方へ突出した断面く字状に形成されて背面側にスペースを確保させているので、このスペースによって繰り出されてくるグリルパン２’の前端部がグリルドア４’背面に衝突するのを回避させ、グリルパン２’をスムーズに繰り出させることができる。
【００５８】
加えて、グリルパン２’は、上げ底の底板３４’に載置されてグリルドア４’の回動中心である軸部４１’よりも高く配置されていることからも、繰り出されてくるグリルパン２’の前端部とグリルドア４’との接近が抑えられ、これによっても、グリルパン２’の前端部とグリルドア４’背面との衝突を回避させることができる。
【００５９】
そして、図８（ｃ）に示すように、グリルドア４’が９０度回動されて水平状態となって完全に開かれると、パンタグラフ機構５’によってグリルパン２’のほぼ全体がグリル庫３’外に繰り出され、水平に開いた状態のグリルドア４’上にグリルパン２’のほぼ全体が配置される。これは、パンタグラフ機構５’がドア回動の水平成分の少ない移動量を拡張させてグリルパン２’の繰り出しストローク量を確保させているからである。
【００６０】
すなわち、第１から第４の４つの交点５１’〜５４’を有した上記パンタグラフ機構５’によると、第２交点５２’を作動点として移動させることで、グリルパン２’を押し出す最前部の第４交点５４’では、回動アーム４２’においてのドア回動による水平成分の移動量ｘの３倍の移動量が得られるので、ドア回動による水平成分の移動量が少なくても、十分なグリルパン２’の繰り出しストロークを確保することができる。
【００６１】
また、長方形状のグリルパン２’は、短辺側が前後方向を向くように横長状態にグリル庫３’に収容されるので、グリルパン２’の短辺長さ程度の繰り出しストロークさえ確保されれば、グリルパン２’のほぼ全体をグリル庫３’外に繰り出させることができる。また、グリルパン２’を横長状態にグリル庫３’に配置させることで、このグリルパン２’は、グリル庫３’外に繰り出されたとき横長のグリルドア４’上にほぼ整合して配置させることができる。
【００６２】
そして、グリルドア４’は、全開されると、押出しアーム７’がガイド孔３３１’の先端に当接されてグリルドア４’が水平姿勢に保持され、また、全開にされた上記グリルドア４’の突出前端が繰り出された上記グリルパン２’の突出前端と略等しく配置される。
【００６３】
そして、グリルパン２’は、この繰り出された状態では下面の突起２２’が底板３４’の突条３４２’に係止されるので、これ以上まっすぐ引き出せないが、この状態のグリルパン２’を斜め上方に傾けると上記係止が解除されるから、この傾けた状態で引っ張り出すと、グリルパン２’がグリル庫３’から取り外される。
【００６４】
一方、グリルパン２’をグリル庫３’内に収容させるには、水平姿勢で開いた状態のグリルドア４’を把手４５’を掴んで持ち上げて上方へ回動させる。すると、グリルドア４’が閉じられて行くに従って、上記と逆にパンタグラフ機構５’が縮まって、押出しアーム７’がグリルパン２’の後部フランジ２１０’を引き込んでグリルパン２’をグリル庫３’内に収容させる。
【００６５】
以上のように、本実施の形態２のグリル装置１’によれば、グリルドア４’を前倒し式に開いてグリルパン２’をグリル庫３’内から繰り出させると、水平姿勢に保持された全開状態のグリルドア４’の上方位置にグリルパン２’のほぼ全体が繰り出される。従って、グリルパン２’を繰り出した状態では、グリルドア４’は、グリルパン２’の下面位置に配置される。しかも、この繰り出されたグリルパン２’の前方位置には、グリルドア４’がほとんど出張ることがない。従って、グリルドア４’を前倒し式に開いてグリル庫３’内からグリルパン２’を繰り出した状態では、グリルドア４’が全く邪魔にならずグリッド６上の調理物を容易に扱うことができる。また、熱くなったグリルドア４’の上端に誤って触って不快感を感じるおそれも防止できる。
【００６６】
また、上記グリルドア４’の全開時には、上記グリルドア４’の突出前端と繰り出された上記グリルパン２’の突出前端とが略等しく設定されるので、繰り出されたグリルパン２’の前方位置にはグリルドア４’が出張ることを確実に防止できるから、その前方位置においてグリルドア４’が邪魔にならず調理物を容易に扱うことができる。
【００６７】
＜その他＞
なお、上記実施の形態２のものは、次のような設計変更を施すことが可能である。
例えば、上記実施の形態２では、グリルドア４’の背面に回動アーム４２’を設けるが、このような回動アーム４２’を設けずに、連結アーム８’をグリルドア４’背面に回動自在に設けるようにしてもよい。ただし、グリルドア４’を全開したとき連結アーム８’がグリルパン２’の側方上部に大きく出張らない位置を選ぶのがよい。この場合、上記グリルパン出入手段２００’は、連結アーム８’とパンタグラフ機構５’と押出しアーム７’とで構成されることとなる。
【００６８】
また、上記グリルパン出入手段２００’に備えたストローク拡張機能部は、上記パンタグラフ機構５’を採用するが、図９に示すリンク機構５Ａ’や、図１０に示すラックピニオン機構５Ｂ’など、また、ドア回動に連動して駆動するモータを利用するなど、その他種々の公知手段を採用してもよい。
【００６９】
図９に示すリンク機構５Ａ’は、回動アーム４２’にリンクアームＡ’が連結され、このリンクアームＡ’の他端にはグリルパン２’の後部フランジ２１０’に引っ掛けられた押出しアーム７’を架設したリンクアームＢ’が連結される。また、内壁板３３’には、リンクアームＡ’とリンクアームＢ’との結合点を案内させる傾斜した第２ガイド孔３３２’が設けられている。この第２ガイド孔３３２’自体の長さは、押出しアーム７’を案内するガイド孔３３１’の長さ、つまり、グリルパン２’の繰出し量と等しく設定される。また、この第２ガイド孔３３２’の傾斜角度は、第２ガイド孔３３２’の水平成分の長さが回動アーム４２’の水平成分の移動量と等しくなるように設定される。これによって、このリンク機構５Ａ’によれば、第２ガイド孔３３２’の水平成分の長さの移動量を、リンクアームＢ’によって第２ガイド孔３３２’自体の長さの移動量に拡張してグリルパン２’に対して付与することができ、十分なグリルパン２’の繰り出しストロークを確保することができる。なお、このものでは、グリルパン出入手段２００’は、回動アーム４２’、リンク機構５Ａ’、押出しアーム７’によって構成される。
【００７０】
従って、グリルドア４’を前倒し式に開けると、ドア回動によってリンクアームＡ’とリンクアームＢ’との結合点が第２ガイド孔３３２’に沿って移動されると同時にリンクアームＢ’の先端の押出しアーム７’がガイド孔３３１’に沿って移動され、この押出しアーム７’の移動量分、グリルパン２’が前方へ押し出される（図９（ａ）（ｂ）を参照。）。そして、グリルドア４’が完全に開かれて水平姿勢となると、グリルパン２’のほぼ全体がグリル庫３’外に繰り出され、開いた状態のグリルドア４’上にグリルパン２’のほぼ全体が配置される（図９（ｃ））。
【００７１】
また、図１０に示すラックピニオン機構５Ｂ’は、回動アーム４２’に連結棒Ｃ’が連結され、この連結棒Ｃ’の他端には上下２つのラック５５ａ’，５５ｂ’に歯合して挟まれたピニオン５６’が回動可能に接続される。そして、上側の短尺ラック５５ａ’は、内壁板３３’または側面板３２’に固定されている。下側の長尺ラック５５ｂ’は、ピニオン５６’の回動によって前後に移動可能に取り付けられ、また、前部には押出しアーム７’を架設する立設棒７１’が設けられている。
【００７２】
これによって、下側の長尺ラック５５ｂ’は、ピニオン５６’と歯合されているので、ピニオン５６’の水平成分の移動量と等しく移動され、加えて、ピニオン５６’の回動によってもその回転距離と同じ距離移動される。つまり、このラックピニオン機構５Ｂ’によれば、ピニオン５６’の水平成分の移動量を、下側の長尺ラック５５ｂ’によってこの移動量にピニオン５６’の回転距離を加えてグリルパン２’に対して付与することができ、十分なグリルパン２’の繰り出しストロークを確保することができる。なお、このものでは、グリルパン出入手段２００’は、回動アーム４２’、連結棒Ｃ’、ラックピニオン機構５Ｂ’、立設７１’、押出しアーム７’によって構成される。
【００７３】
従って、グリルドア４’を前倒し式に開けると、ドア回動によってピニオン５６’が回転しながら移動されると下側の長尺ラック５５ｂ’がピニオン５６’の移動量にピニオン５６’の回転距離を加えて移動され、この長尺ラック５５ｂ’の移動量分、押出しアーム７’を介してグリルパン２’が前方へ押し出される（図１０（ａ）（ｂ）を参照。）。そして、グリルドア４’が完全に開かれて水平姿勢となると、グリルパン２’のほぼ全体がグリル庫３’外に繰り出され、開いた状態のグリルドア４’上にグリルパン２’のほぼ全体が配置される（図１０（ｃ）を参照。）。
【００７４】
その他、本発明における載置体としては、上記グリルパン２，２’の他に、この各種容器等を収容・載置させるホルダー、上記グリルパン２，２’等を収容・載置させる台材等でもよい。
【図面の簡単な説明】
【００７５】
【図１】実施の形態によるグリル装置を適用したガスコンロを示す斜視図である。
【図２】グリル装置の内部構成を示す側面図である。
【図３】グリルドアのドア回動に連動してグリルパンが繰り出される様子を示す平面図である。
【図４】ストローク拡張手段の他の例としてリンク機構を用いた場合のグリルパンが繰り出される様子を示す平面図である。
【図５】ストローク拡張手段の更に他の例としてラックピニオン機構を用いた場合のグリルパンが繰り出される様子を示す平面図である。
【図６】従来の引き出し式のグリルドアを備えたグリル装置を示す断面図である。
【図７】従来の前倒し式のグリルドアを備えたグリル装置を示す側面図である。
【図８】実施の形態２のグリル装置におけるグリルドアのドア回動に連動してグリルパンが繰り出される様子を示す側面図である。
【図９】実施の形態２におけるグリルパン出入手段（載置体出入手段）のストローク拡張機能部の他の例としてリンク機構を用いた場合のグリルパンが繰り出される様子を示す側面図である。
【図１０】実施の形態２におけるグリルパン出入手段（載置体出入手段）のストローク拡張機能部の更に他の例としてラックピニオン機構を用いた場合のグリルパンが繰り出される様子を示す側面図である。
【図１１】従来の引き出し式のグリルドアを備えたグリル装置を示す断面図である。
【図１２】従来の前倒し式のグリルドアを備えたグリル装置を示す側面図である。
【図１３】従来の横開き式のグリルドアを備えたグリル装置を示す断面図である。
【符号の説明】
【００７６】
１，１’  グリル装置、
２，２’  グリルパン（載置体）、
３，３’  グリル庫、
４，４’  グリルドア、
５，５’  パンタグラフ機構（ストローク拡張機能部）、
５Ａ，５Ａ’  リンク機構（ストローク拡張機能部）、
５Ｂ，５Ｂ’  ラックピニオン機構（ストローク拡張機能部）、
６，６’  グリッド、
７，７’  押出しアーム、
８，８’  連結アーム、
９  Ｌアーム
３１，３１’  前面開口、
４１，４１’  軸部、
４２，４２’  回動アーム、
４３  ドア上部、
４４  ドア下部、
２００，２００’  グリルパン出入手段（載置体出入手段）
【図１】
2005027971.tif 000003
【図２】
2005027971.tif 000004
【図３】
2005027971.tif 000005
【図４】
2005027971.tif 000006
【図５】
2005027971.tif 000007
【図６】
2005027971.tif 000008
【図７】
2005027971.tif 000009
【図８】
2005027971.tif 000010
【図９】
2005027971.tif 000011
【図１０】
2005027971.tif 000012
【図１１】
2005027971.tif 000013
【図１２】
2005027971.tif 000014
【図１３】
2005027971.tif 000015